(57)【要約】  【課題】電気的及び機械的なスイッチを用いずに、アーク火花の発生を抑制することの可能なコンセントソケットの提供。  【解決手段】給電コード又はケーブル１に接続された集電電極２を具備して、電力を消費する電気機器に接続された電気プラグβの端子ピン１０を差込口開口端Ａより挿入されたときに、端子ピン１０と集電電極１２との接触による電気的な接続をなし、端子ピン１０と集電電極１２との接触により給電コード又はケーブル１からの電力を電気プラグβを介して電気機器に供給するためのコンセントソケットα１であって、集電電極１２は、差込口最奥端Ｂにて給電コード又はケーブル１と接続されて、端子ピン１０と集電電極１２との接続において、集電電極１２と接触する端子ピン１０先端Ｃの挿入位置が差込口開口端Ａに近づくにつれて、集電電極１２の構成する電流経路上の抵抗値が高抵抗になるよう、抵抗値を分布構成される、特徴的構成手段の採用。  【選択図】図１
2005108450.tif 000002
【特許請求の範囲】
【請求項１】
各種電気機器に接続された電気プラグの端子ピンを挿入接続するための差込口内側を給電コード又はケーブルと接続した集電電極で画成したコンセントソケットであって、
前記集電電極は、
前記差込口最奥端にて前記給電コード又はケーブルと接続され、
前記端子ピンと前記集電電極との接続において、当該集電電極と接触する当該端子ピン先端が前記差込口開口端から漸次前記差込口最奥端に挿入されて行くにつれて、当該集電電極の構成する電流経路上の抵抗値が低抵抗になるよう、当該抵抗値を分布構成される、
ことを特徴とするコンセントソケット。
【請求項２】
前記集電電極の抵抗値分布は、
内部で前記端子ピンと電気的に接続する当該集電電極で画成された複数の前記差込口のうちの１以上において、
当該集電電極の前記差込口最奥端から前記差込口開口端に近づくにつれて、前記抵抗値が低抵抗から高抵抗に連続的に変化するよう、固定分布構成される、
ことを特徴とする請求項１に記載のコンセントソケット。
【請求項３】
前記集電電極は、
前記差込口最奥端から前記差込口開口端側に向けて、漸次不純物濃度が高濃度から低濃度に連続的な分布を持たせた半導体電極で構成される、
ことを特徴とする請求項２に記載のコンセントソケット。
【請求項４】
前記集電電極は、
前記差込口最奥端から前記差込口開口端側に向けて、漸次不純物濃度が高濃度から低濃度に連続的な分布を持たせた半導体電極と、
当該半導体電極の外側を一体支持する、導電性部材からなる支持電極とを有して構成されて、
当該支持電極の前記差込口最奥端にて、前記給電コード又はケーブルと接続される、
ことを特徴とする請求項２に記載のコンセントソケット。
【請求項５】
前記集電電極の抵抗値分布は、
前記差込口内部で前記端子ピンと電気的に接続する当該集電電極で画成された複数の当該差込口のうちの１以上において、
当該集電電極の前記差込口最奥端から前記差込口開口端に近づくにつれて、前記抵抗値が低抵抗から高抵抗に段階的に変化するよう、固定分布構成される、
ことを特徴とする請求項１に記載のコンセントソケット。
【請求項６】
前記各集電電極は、
抵抗体を外側に一体介して間を置いて不連続配設する導電体群で構成される、
ことを特徴とする請求項５に記載のコンセントソケット。
【請求項７】
前記コンセントソケットは、
前記差込口内部で前記端子ピンと電気的に接続する複数の前記集電電極と、前記給電コード又はケーブルとの接続のうちの１以上において、
当該集電電極と当該給電コード又はケーブルとの接続間に前記抵抗値を可変可能とする可変抵抗器を介接する、
ことを特徴とする請求項１に記載のコンセントソケット。
【請求項８】
前記コンセントソケットは、
前記コンセントソケット外側面に露出設置されるとともに、前記可変抵抗器に接続されて当該可変抵抗器の前記抵抗値を任意の値に調整可能な調整器を有する、
ことを特徴とする請求項７に記載のコンセントソケット。
【請求項９】
前記コンセントソケットは、
前記端子ピン先端の挿入位置に連動してスライドすることで、前記可変抵抗器の前記抵抗値を所定の値に調整可能な調整器を具備するとともに、
前記端子ピン先端の前記差込口開口端からの挿入により弾性引張力に抗して当該端子ピン先端で当接押圧されて一体にスライドして、前記可変抵抗器の前記抵抗値を低抵抗に調整する一方、当該端子ピン先端が当該差込口開口端から引き抜かれるときに、前記弾性引張力が作用することにより、当該端子ピン先端の前記挿入位置と連動して当該端子ピン先端と一体にスライドし前記抵抗値を高抵抗に調整可能な、挿入された当該端子ピン先端に前記調整器を追従自在に一体連動させる弾性体を有する、
ことを特徴とする請求項７に記載のコンセントソケット。
【請求項１０】
前記集電電極は、
１対の前記端子ピンと電気的な嵌合接触を為す１対の電極により構成される、
ことを特徴とする請求項１、２、３、４、５、６、７、８又は９に記載のコンセントソケット。
【発明の詳細な説明】
【技術分野】
【０００１】
本発明は、コンセントソケットに関し、詳しくは、内部に電力供給源となる給電コード又はケーブルと当該給電コード又はケーブルに接続された集電電極を具備して、電力を消費する電気機器に接続された電気プラグの端子ピンを差込口開口端より挿入されたときに、当該端子ピンと集電電極との接触による電気的な接続をなし、当該端子ピンと当該集電電極との接触により給電コード又はケーブルからの電力を電気プラグを介して電気機器に供給するために使用されるコンセントソケットに係わる。
【背景技術】
【０００２】
従来、電力を消費する電気機器に対して電力を供給する際に用いられたコンセントソケットにおいて、直接電力供給に携わる集電電極には電気抵抗の小さい単一の金属板を成形加工して用いてきた。このようなコンセントソケットを用いた場合における、電気プラグの引抜き時のアーク火花の発生を防止するために、例えば、内部に半導体スイッチを備えるものや、半導体スイッチと機械式スイッチの両方を備えたものがあった。
【０００３】
なお、上記アーク火花の発生を防止するコンセントソケットの詳細は、以下に示す特許文献１及び２に記載されている。
【特許文献１】特開２００３−２０３７２１号公報
【特許文献２】特開２００３−１７３７２７号公報
【発明の開示】
【発明が解決しようとする課題】
【０００４】
しかしながら、上記従来のコンセントソケットを用いた場合、例えば、誘導性負荷を動作させた場合において、その導通電流の大きさによって電気プラグ引抜き時にコンセント側電極と電気プラグ側端子ピン間でアーク火花が発生し、作業者にとって危険であるとともに、コンセントソケット側電極と電気プラグ側端子ピン双方の劣化を促進するという問題があった。
【０００５】
また、コンセントソケット内部に半導体スイッチを用いた場合でも、半導体スイッチが短絡故障していた場合には、アークの発生する可能性があり、半導体スイッチと機械式スイッチとの双方を具備した場合には、コンセントソケットの構成が複雑になるという問題があった。
【０００６】
ここにおいて、本発明の解決すべき主要な目的は、次のとおりである。
【０００７】
即ち、本発明の第１の目的は、電気的及び機械的なスイッチを用いずに、単純な構成によりアーク火花の発生を抑制することの可能なコンセントソケットを提供せんとするものである。
【０００８】
本発明の第２の目的は、コンセントソケット内において、集電電極の機械的強度の補償及び過大な抵抗値の低減を図ることが可能なコンセントソケットを提供せんとするものである。
【０００９】
本発明の第３の目的は、コンセントソケット内の電流経路上の電気抵抗を連続的又は多段に段階的に変化させて、電流経路上の電流を滑らかに減少させることが可能なコンセントソケットを提供せんとするものである。
【００１０】
本発明の他の目的は、明細書、図面、特に特許請求の範囲の各請求項の記載から、自ずと明らかになろう。
【課題を解決するための手段】
【００１１】
本発明装置においては、内部に具備する集電電極が、差込口最奥端にて別途具備する給電コード又はケーブルと接続されて、電気プラグの端子ピンと集電電極との接続において、当該集電電極と接触する当該端子ピン先端の挿入位置が差込口開口端に近づくにつれて、当該集電電極の構成する電流経路上の抵抗値が高抵抗になるよう、分布構成される、という特徴的構成手段を講じる。
【００１２】
さらに、具体的詳細に述べると、当該課題の解決では、本発明が次に列挙する上位概念から下位概念に亙る新規な特徴的構成手段を採用することにより、前記目的を達成するよう為される。
【００１３】
即ち、本発明装置の第１の特徴は各種電気機器に接続された電気プラグの端子ピンを挿入接続するための差込口内側を給電コード又はケーブルと接続した集電電極で画成したコンセントソケットであって、前記集電電極は、前記差込口最奥端にて前記給電コード又はケーブルと接続され、前記端子ピンと前記集電電極との接続において、当該集電電極と接触する当該端子ピン先端が前記差込口開口端から漸次前記差込口最奥端に挿入されて行くにつれて、当該集電電極の構成する電流経路上の抵抗値が低抵抗になるよう、当該抵抗値を分布構成されてなる、コンセントソケットの構成採用にある。
【００１４】
本発明装置の第２の特徴は、上記本発明装置の第１の特徴における前記集電電極の抵抗値分布が、内部で前記端子ピンと電気的に接続する当該集電電極で画成された複数の前記差込口のうちの１以上において、当該集電電極の前記差込口最奥端から前記差込口開口端に近づくにつれて、前記抵抗値が低抵抗から高抵抗に連続的に変化するよう、固定分布構成されてなる、コンセントソケットの構成採用にある。
【００１５】
本発明装置の第３の特徴は、上記本発明装置の第２の特徴における前記集電電極が、前記差込口最奥端から前記差込口開口端側に向けて、漸次不純物濃度が高濃度から低濃度に連続的な分布を持たせた半導体電極で構成されてなる、コンセントソケットの構成採用にある。
【００１６】
本発明装置の第４の特徴は、上記本発明装置の第２の特徴における前記集電電極が、前記差込口最奥端から前記差込口開口端側に向けて、漸次不純物濃度が高濃度から低濃度に連続的な分布を持たせた半導体電極と、当該半導体電極の外側を一体支持する、導電性部材からなる支持電極とを有して構成されて、当該支持電極の前記差込口最奥端にて、前記給電コード又はケーブルと接続されてなる、コンセントソケットの構成採用にある。
【００１７】
本発明装置の第５の特徴は、上記本発明装置の第１の特徴における前記集電電極の抵抗値分布が、前記差込口内部で前記端子ピンと電気的に接続する当該集電電極で画成された複数の当該差込口のうちの１以上において、当該集電電極の前記差込口最奥端から前記差込口開口端に近づくにつれて、前記抵抗値が低抵抗から高抵抗に段階的に変化するよう、固定分布構成されてなる、コンセントソケットの構成採用にある。
【００１８】
本発明装置の第６の特徴は、上記本発明装置の第５の特徴における前記各集電電極が、抵抗体を外側に一体介して間を置いて不連続配設する導電体群で構成されてなる、コンセントソケットの構成採用にある。
【００１９】
本発明装置の第７の特徴は、上記本発明装置の第１の特徴における前記コンセントソケットが、前記差込口内部で前記端子ピンと電気的に接続する複数の前記集電電極と、前記給電コード又はケーブルとの接続のうちの１以上において、当該集電電極と当該給電コード又はケーブルとの接続間に前記抵抗値を可変可能とする可変抵抗器を介接してなる、コンセントソケットの構成採用にある。
【００２０】
本発明装置の第８の特徴は、上記本発明装置の第７の特徴における前記コンセントソケットが、前記コンセントソケット外側面に露出設置されるとともに、前記可変抵抗器に接続されて当該可変抵抗器の前記抵抗値を任意の値に調整可能な調整器を有してなる、コンセントソケットの構成採用にある。
【００２１】
本発明装置の第９の特徴は、上記本発明装置の第７の特徴における前記コンセントソケットが、前記端子ピン先端の挿入位置に連動してスライドすることで、前記可変抵抗器の前記抵抗値を所定の値に調整可能な調整器を具備するとともに、前記端子ピン先端の前記差込口開口端からの挿入により弾性引張力に抗して当該端子ピン先端で当接押圧されて一体にスライドして、前記可変抵抗器の前記抵抗値を低抵抗に調整する一方、当該端子ピン先端が当該差込口開口端から引き抜かれるときに、前記弾性引張力が作用することにより、当該端子ピン先端の前記挿入位置と連動して当該端子ピン先端と一体にスライドし前記抵抗値を高抵抗に調整可能な、挿入された当該端子ピン先端に前記調整器を追従自在に一体連動させる弾性体を有してなる、コンセントソケットの構成採用にある。
【００２２】
本発明装置の第１０の特徴は、上記本発明装置の第１、第２、第３、第４、第５、第６、第７、第８又は第９の特徴における前記集電電極が、１対の前記端子ピンと電気的な嵌合接触を為す１対の電極により構成されてなる、コンセントソケットの構成採用にある。
【発明の効果】
【００２３】
本発明によれば、電気プラグをコンセントソケットから引き抜くときに、コンセントソケット内電流経路上の電気抵抗を高抵抗に変化させて、十分に大きな抵抗値となった差込口開口端で電気的な接触を断つことを可能とすることにより、アーク火花の発生を抑制することができる。また、簡易な構成によりコンセントソケット内の電流経路上の電気抵抗を変化させることができることから、容易にアーク火花の発生を抑制することが可能である。
【００２４】
さらに、集電電極に対して外側から導電性の一体支持電極を採用した場合には、集電電極の機械的強度の補償及び過大な抵抗値の低減を図ることが可能である。また、電気抵抗値の変化を連続的または多段に段階的に変化させることにより、電流経路上の電流の減少を滑らかな変化とすることができ、抵抗値変化によるアーク火花の発生も抑制することが可能である。
【発明を実施するための最良の形態】
【００２５】
以下、本発明の実施の形態につき、添付図面を参照しつつ、その装置例１乃至４を順に説明する。
【００２６】
（装置例１）
まず、図１は、本発明の装置例１に係る電気プラグを差込み時のコンセントソケットの内部構成を示す図である。
【００２７】
同図に示すように、まず、この装置例１に係るコンセントソケットα１は、内部に電力供給線となる給電コード又はケーブル１とこの給電コード又はケーブル１に接続された集電電極２を具備して、電力を消費する電気機器（図示せず）に接続された電気プラグβの端子ピン１０を差込口開口端Ａより挿入されたときに、端子ピン１０と集電電極２との接触による電気的な接続をなし、端子ピン１０と集電電極２との接触により給電コード又はケーブル１からの電力を電気プラグβを介して電気機器に供給可能に構成される。
【００２８】
この集電電極２は、差込口最奥端Ｂにて給電コード又はケーブル１と接続されて、端子ピン１０と集電電極２との接続において、集電電極２と接触する端子ピン１０先端Ｃの挿入位置が差込口開口端Ａに近づくにつれて、集電電極２の構成する電流経路上の抵抗値が高抵抗になるよう、この抵抗値を可変に構成される。
【００２９】
ここで、集電電極２は、内部で端子ピン１０と電気的に接続する複数の差込口のうちの１以上において、集電電極２と給電コード又はケーブル１との接続端Ｂから差込口開口端Ａに近づくにつれて、抵抗値が低抵抗から高抵抗に連続的に変化するよう、例えば、抵抗値に連続的な固定分布を持たせて構成されるとよい。
【００３０】
そのため、例えば、集電電極２は、差込口最奥端Ｂ側から差込口開口端Ａ側に向けて、不純物濃度が高濃度から低濃度に連続的な分布を持たせた半導体電極２ａで構成されても構わず、このとき、集電電極２を構成する半導体電極２ａの不純物濃度は、給電コード又はケーブル１との差込口最奥端Ｂ側で高濃度であり低抵抗を示し、差込口開口端Ａ側で低濃度であり高抵抗を示す。
【００３１】
よって、例えば、集電電極２が、高抵抗領域である差込口開口端Ａ側の不純物濃度の、１×１０14ｃｍ-3から、低抵抗領域である給電コード又はケーブル１との差込口最奥端Ｂ側の不純物濃度の、１×１０20ｃｍ-3へと連続的に変化する、例えば、半導体電極２ａに不純物ドーピングをする際の不純物濃度をドーピング位置に応じて変化させることで得られたＰ型半導体電極で作成されて、半導体電極２ａと給電コード又はケーブル１とが金属配線３等により接続されて構成される。
【００３２】
以上のように構成されたコンセントソケットα１において、コンセントソケットα１に挿入された電気プラグβを引抜く際に、端子ピン１０先端Ｃの挿入位置に応じてコンセントソケットα１内の電流経路における電気抵抗値が変化して、例えば、上記不純物濃度であった場合には、集電電極２の差込口最奥端Ｂと差込口開口端Ａとの両端で約１０００倍程度の抵抗差を作り出すことが可能である。
【００３３】
ここで、図２は、コンセントソケット内の電流経路上における抵抗値と導通電流の関係の一例を示すグラフである。
電流と抵抗値とは反比例の関係にあるので、同図に示すように、十分に抵抗値が大きい状態になってからコンセントソケットα１と電気プラグβとの接触が断たれることにより、アーク火花が発生しない小さな電流で電気プラグβを引抜くことが可能となり、アーク火花の発生を抑制することができる。
【００３４】
また、図３は、図１に示した集電電極が支持電極を有した場合を説明するための図である。
同図に示すように、コンセントソケットα１´として、集電電極２は、半導体電極２ａ等を外部から支持する、導電性部材からなる支持電極２ｂを有して構成されても構わず、このとき、集電電極２は、支持電極２ｂの差込口最奥端Ｂにて給電コード又はケーブル１と接続されるとよい。
【００３５】
半導体で作成された半導体電極２ａが十分な厚みを持たない場合には、機械的強度の不足、過大な電気抵抗値といった問題が発生することがあり、半導体電極２ａで構成された集電電極２において、端子ピン１０と接触しない外部から、例えば、金属で作成された支持電極２ｂが貼付されることにより、集電電極２の機械的強度の補償を図ることが可能である。
【００３６】
さらに、半導体電極２ａの、端子ピン１０の挿入される挿入口に沿う長手方向にのみ電流が流れる場合、半導体電極２ａにより構成された電流経路の増大により、抵抗値が過大になるといった問題が発生することがあり、この半導体電極２ａに外側から支持電極２ｂを一体接触させることで、その過大な抵抗値を低減することが可能となる。
なお、支持電極２ｂは、金属プレートや、十分な導電性のあるセラミックス、高分子導体等でも構わない。
【００３７】
（装置例２）
次に、図４は、本発明の装置例２に係る電気プラグ差込み時のコンセントソケットの内部構成を示す図であり、以下の本実施形態の説明で用いる各図面には、図１に示したものと同一又は同等な構成要素につき同一の符号を当てるものとし、当該構成要素の詳細な説明については省略するものとする。
【００３８】
同図に示すように、装置例２に係るコンセントソケットα２における集電電極２２は、内部で端子ピン１０と電気的に接続する複数の差込口のうちの１以上において、端子ピン１０先端Ｃの挿入位置が、集電電極２２の差込口最奥端Ｂから差込口開口端Ａに近づくにつれて、コンセントソケットα２内の電流経路上の抵抗値が低抵抗から高抵抗に段階的に変化するよう、抵抗値に段階的な固定分布を持たせて構成される。
【００３９】
ここで、コンセントソケットα２は、例えば、集電電極２２として、外側に一体渡設した抵抗体２２ａ，２２ａ´を介して接続された導電体２２ｂ，２２ｂ´，２２ｂ″を有し、これら集電電極２２と給電コード又はケーブル１とが金属配線３等により接続されるとよく、このとき、集電電極２２は、１以上の抵抗体２２ａ，２２ａ´を外側に一体介して間を置いて不連続配設する導電体２２ｂ，２２ｂ´，２２ｂ″群で構成される。
【００４０】
このようなコンセントソケットα２を用いることで、コンセントソケットα２に挿入された電気プラグβを引抜く際に、端子ピン１０先端Ｃのコンセントソケットα２における挿入位置に応じてコンセントソケットα２内の電流経路における抵抗値が変化して、その抵抗値に応じて導通電流が減少することで、アーク火花の発生を抑制することが可能となる。
【００４１】
ここで、図５は、図４に示したコンセントソケットの具体例を説明するための内部回路図である。
同図に示すように、コンセントソケットα２に、給電コード又はケーブル１を介して電源１ａとコンセントソケットα２及び電気プラグβに接続された負荷１１とを接続して、例えば、電源１ａの電圧をＤＣ５０Ｖ、負荷１１として５Ωの抵抗として、抵抗体２２ａを５０Ω、抵抗体２２ａ´を５００Ωとする。
【００４２】
このとき、電気プラグβの端子ピン１０がコンセントソケットα２の集電電極２２に十分接触するまで挿入されて導電体２２ｂと接触したときには、回路に流れる電流Ｉ0は、オームの法則により、１０Ａとなる。一方、電気プラグβがコンセントソケットα２から引抜かれて端子ピン１０先端Ｃが集電電極２２の導電体２２ｂ´に接触しているときには、負荷１１と直列に抵抗体２２ａ（５０Ω）が挿入されて、電流Ｉ1はオームの法則より０．９１Ａとなる。
【００４３】
同様に、端子ピン１０先端Ｃが導電体２２ｂ″にのみ接触しているときの電流Ｉ2は、０．０９Ａとなり、この計算例において、最終的に負荷１１が電源１ａから切り離される場合の電流Ｉ2は、端子ピン１０が集電電極２２と十分接触するまで挿入されたときの電流Ｉ0と比較して１／１００程度となり、人体に危険なアーク火花が発生する心配はない。
【００４４】
なお、抵抗体２２ａ，２２ａ´を介して接続される導電体２２ｂ，２２ｂ´，２２ｂ″の段数は同図に示すものに限定されるものではないが、一段階あたりの抵抗値変化により極端に電流値が減少する場合、各導電体２２ｂ，２２ｂ´，２２ｂ″間と端子ピン１０が離れた瞬間にアーク火花が発生する可能性があることから、導電体２２ｂ，２２ｂ´，２２ｂ″の段数が多いほうが電流の減少が滑らかとなり、本発明としての効果が大きくなることは言うまでもない。
【００４５】
（装置例３）
続いて、図６は、本発明の装置例３に係る電気プラグ差込み時のコンセントソケットの内部構成を示す図である。
同図に示すように、装置例３に係るコンセントソケットα３は、内部で端子ピン１０と電気的に接続する複数の集電電極３２で内側を画成された差込口のうちの１以上において、この集電電極３２と給電コード又はケーブル１との接続間に、コンセントソケットα３内の電流経路上の抵抗値を可変可能とする可変抵抗器４を有して構成される。
【００４６】
ここで、図７は、図６に示したコンセントソケットの外観斜視図である。
同図に示すように、例えば、コンセントソケットα３は、コンセントソケットα３外側面に露出設置されるとともに、可変抵抗器４に接続されてこの可変抵抗器４の抵抗値を任意の値に調整可能な調整器３５を有するとよい。
【００４７】
このとき、例えば、差込口開口端Ａの近傍にスライダック式の調整器３５が配置されて、コンセントソケットα３に挿入された電気プラグβを引抜く際に、調整器３５を可変抵抗器４の示す抵抗値が高抵抗となるように操作されることで、コンセントソケットα３内の電流経路における抵抗値を大きくすることができる。
【００４８】
なお、調整器３５は、スライダック式に限定されるものではなく、回転式の調整器３５や、押し込み式の調整器３５等であっても構わず、また、電気プラグβをコンセントソケットα３に挿入するときに、コンセントソケットα３内の抵抗値が大きいままになっていることを防ぐために、機械的もしくは電気的に電気プラグβの挿入を検知可能に構成されて、このときに、抵抗値を最小に調整する機能手段を具備しても構わない。
【００４９】
（装置例４）
引続き、図８は、本発明の装置例４に係る電気プラグを差込み時のコンセントソケットの内部構成を示す図である。
【００５０】
同図に示すように、装置例４に係るコンセントソケットα４は、端子ピン１０先端Ｃが調整器４５に当接押圧することにより弾性体６の弾性引張力に抗して挿入位置に連動して可変抵抗器４に沿って調整器４５がスライドすることで、スライダックとしての可変抵抗器４の抵抗値を所定の値に調整可能な調整器４５を具備するとともに、端子ピン１０先端Ｃの差込口開口端Ａからの挿入により端子ピン１０先端Ｃと一体にスライドして、可変抵抗器４の抵抗値を低抵抗に調整する一方、端子ピン１０先端Ｃが差込口開口端Ａから引き抜かれるときに、端子ピン１０先端Ｃが当接する調整器４５を、弾性体６の弾性復元力が作用することにより、この端子ピン１０先端Ｃの挿入位置と連動して端子ピン１０先端Ｃと一体にスライドして抵抗値を高抵抗に調整可能な、挿入された端子ピン１０先端Ｃの退出動に対して調整器４５を追従自在に一体連動させる弾性体６を有して構成される。
【００５１】
ここで、コンセントソケットα４は、集電電極４２と給電コード又はケーブル１とを接続する金属配線３等の１以上に抵抗値可変機能を有した可変抵抗器４を有して、電気プラグβがコンセントソケットα４に挿入されたときに、コンセントソケットα４内部における端子ピン１０の移動により、可変抵抗器４の抵抗値を調整する調整器４５が、スライドして、電流経路内の抵抗値は自動的に低抵抗へと変化するよう構成される。
【００５２】
また、電気プラグβをコンセントソケットα４から引抜くときには、コンセントソケットα４内に設置したバネ等の弾性体６により可変抵抗器４の抵抗値を調整する調整器４５が引き戻されて、電流経路内の抵抗値は、自動的に高抵抗となるよう構成される。
【００５３】
以上、本発明の実施形態につき、その装置例１乃至４を挙げて説明したが、本発明は、必ずしも上述した手段にのみ限定されるものではなく、前述の効果を有する範囲内において、随時、変更実施することが可能なものであり、例えば、装置例１乃至４において、１対の端子ピン１０と電気的な接触を為す１対の集電電極２，２２，３２，４２について説明したが、多極ピンと多極集電電極等、これに限定されるものではない。
【００５４】
また、本発明における電力供給の形態としては、直流供給又は交流供給に適用可能なものであり、交流供給としては、商用周波数の５０Ｈｚ又は６０Ｈｚでも、それ以上の周波数を用いた高周波交流供給でも構わない。
【図面の簡単な説明】
【００５５】
【図１】本発明の装置例１に係る電気プラグを差込み時のコンセントソケットの内部構成を示す図である。
【図２】同上したコンセントソケット内の電流経路上における抵抗値と導通電流の関係の一例を示すグラフである。
【図３】同上した集電電極が支持電極を有した場合を説明するための図である。
【図４】本発明の装置例２に係る電気プラグを差込み時のコンセントソケットの内部構成を示す図である。
【図５】同上したコンセントソケットの具体例を説明するための回路図である。
【図６】本発明の装置例３に係る電気プラグを差込み時のコンセントソケットの内部構成を示す図である。
【図７】同上したコンセントソケットの外観斜視図である。
【図８】本発明の装置例４に係る電気プラグを差込み時のコンセントソケットの内部構成を示す図である。
【符号の説明】
【００５６】
α１，α１´，α２，α３，α４…コンセントソケット
β…電気プラグ
１…給電コード又はケーブル
２，２２，３２…集電電極
２ａ…半導体電極
２ｂ…支持電極
２２ａ，２２ａ´…抵抗体
２２ｂ，２２ｂ´，２２ｂ″…導電体
３…金属配線
３５，４５…調整器
４…可変抵抗器
６…弾性体
１０…端子ピン
１１…負荷
Ａ…差込口開口端
Ｂ…差込口最奥端
Ｃ…端子ピン１０先端
【図１】
2005108450.tif 000003
【図２】
2005108450.tif 000004
【図３】
2005108450.tif 000005
【図４】
2005108450.tif 000006
【図５】
2005108450.tif 000007
【図６】
2005108450.tif 000008
【図７】
2005108450.tif 000009
【図８】
2005108450.tif 000010